(57)【要約】【課題】地面の敷き詰めの施工性の優れる舗装用ブロックを提供する。【解決手段】舗装用ブロック１０は、平面視が五角形状である。時計回りに順に配設された五辺を第１〜第５辺１１〜１５とするとともに、前記第１〜第５辺１１〜１５の長さをそれぞれＬ１〜Ｌ５とし、且つ前記第１〜第５辺１１〜１５に対向する内角をそれぞれθ１〜θ５としたとき、Ｌ１＝Ｌ２＝Ｌ３＝Ｌ４であり且つθ１＝θ４＝９０°である。【選択図】図１Ｂ
2019210691.tif 000002
【特許請求の範囲】
【請求項１】
平面視が五角形状の舗装用ブロックであって、
時計回りに順に配設された五辺を第１〜第５辺とするとともに、前記第１〜第５辺の長さをそれぞれＬ１〜Ｌ５とし、且つ前記第１〜第５辺に対向する内角をそれぞれθ１〜θ５としたとき、Ｌ１＝Ｌ２＝Ｌ３＝Ｌ４であり且つθ１＝θ４＝９０°である舗装用ブロック。
【請求項２】
Ｌ５≠Ｌ１である請求項１に記載された舗装用ブロック。
【請求項３】
Ｌ５＞Ｌ１である請求項２に記載された舗装用ブロック。
【請求項４】
θ５≠θ２である請求項１乃至３のいずれかに記載された舗装用ブロック。
【請求項５】
θ５＞θ２である請求項４に記載された舗装用ブロック。
【請求項６】
各々、平面視が五角形状のＡブロック及びＢブロックで構成された舗装用ブロックセットであって、
前記Ａブロックについて、時計回りに順に配設された五辺を第１〜第５辺とするとともに、前記第１〜第５辺の長さをそれぞれＬ１Ａ〜Ｌ５Ａとし、且つ前記第１〜第５辺に対向する内角をそれぞれθ１Ａ〜θ５Ａとし、前記Ｂブロックについて、時計回りに順に配設された五辺を第１〜第５辺とするとともに、前記第１〜第５辺の長さをそれぞれＬ１Ｂ〜Ｌ５Ｂとし、且つ前記第１〜第５辺に対向する内角をそれぞれθ１Ｂ〜θ５Ｂとしたとき、Ｌ１Ａ＝Ｌ４Ａ＝Ｌ２Ｂ＝Ｌ３Ｂ、Ｌ２Ａ＝Ｌ３Ａ、及びＬ１Ｂ＝Ｌ４Ｂであり、且つθ１Ａ＝θ４Ａ、θ１Ｂ＝θ４Ｂ、θ１Ａ＋θ１Ｂ＝１８０°、及びθ２Ａ+θ３Ａ＋θ５Ｂ＝３６０°である舗装用ブロックセット。
【請求項７】
Ｌ５Ａ≠Ｌ１Ａであり且つＬ５Ａ≠Ｌ２Ａである請求項６に記載された舗装用ブロックセット。
【請求項８】
Ｌ５Ａ＞Ｌ１Ａであり且つＬ５Ａ＞Ｌ２Ａである請求項７に記載された舗装用ブロックセット。
【請求項９】
θ５Ａ＞θ１Ａであり且つθ５Ａ＞θ２Ａである請求項７又は８に記載された舗装用ブロックセット。
【請求項１０】
θ５Ｂ≠θ１Ｂであり且つθ５Ｂ≠θ２Ｂである請求項６乃至９のいずれかに記載された舗装用ブロックセット。
【発明の詳細な説明】
【技術分野】
【０００１】
本発明は、舗装用ブロック及び舗装用ブロックセットに関する。
【背景技術】
【０００２】
地面に敷き詰めるように設けられる舗装用ブロックが知られている（例えば、特許文献１及び２）。
【先行技術文献】
【特許文献】
【０００３】
【特許文献１】特開２０１７−１６６２１５号公報
【特許文献２】特開２０１５−１４５５７９号公報
【発明の概要】
【発明が解決しようとする課題】
【０００４】
本発明の課題は、地面の敷き詰めの施工性の優れる舗装用ブロック及び舗装用ブロックセットを提供することである。
【課題を解決するための手段】
【０００５】
本願の第１の発明は、平面視が五角形状の舗装用ブロックであって、時計回りに順に配設された五辺を第１〜第５辺とするとともに、前記第１〜第５辺の長さをそれぞれＬ１〜Ｌ５とし、且つ前記第１〜第５辺に対向する内角をそれぞれθ１〜θ５としたとき、Ｌ１＝Ｌ２＝Ｌ３＝Ｌ４であり且つθ１＝θ４＝９０°である。
【０００６】
第１の発明は、Ｌ５≠Ｌ１であることが好ましく、Ｌ５＞Ｌ１であることがより好ましい。また、第１の発明は、θ５≠θ２であることが好ましく、θ５＞θ２であることがより好ましい。
【０００７】
本願の第２の発明は、各々、平面視が五角形状のＡブロック及びＢブロックで構成された舗装用ブロックセットであって、前記Ａブロックについて、時計回りに順に配設された五辺を第１〜第５辺とするとともに、前記第１〜第５辺の長さをそれぞれＬ１Ａ〜Ｌ５Ａとし、且つ前記第１〜第５辺に対向する内角をそれぞれθ１Ａ〜θ５Ａとし、前記Ｂブロックについて、時計回りに順に配設された五辺を第１〜第５辺とするとともに、前記第１〜第５辺の長さをそれぞれＬ１Ｂ〜Ｌ５Ｂとし、且つ前記第１〜第５辺に対向する内角をそれぞれθ１Ｂ〜θ５Ｂとしたとき、Ｌ１Ａ＝Ｌ４Ａ＝Ｌ２Ｂ＝Ｌ３Ｂ、Ｌ２Ａ＝Ｌ３Ａ、及びＬ１Ｂ＝Ｌ４Ｂであり、且つθ１Ａ＝θ４Ａ、θ１Ｂ＝θ４Ｂ、θ１Ａ＋θ１Ｂ＝１８０°、及びθ２Ａ+θ３Ａ＋θ５Ｂ＝３６０°である。
【０００８】
第２の発明は、Ｌ５Ａ≠Ｌ１Ａであり且つＬ５Ａ≠Ｌ２Ａであることが好ましく、Ｌ５Ａ＞Ｌ１Ａであり且つＬ５Ａ＞Ｌ２Ａであることがより好ましい。また、第２の発明は、θ５Ａ＞θ１Ａ且つθ５Ａ＞θ２Ａであることが好ましい。さらに、第２の発明は、θ５Ｂ≠θ１Ｂであり且つθ５Ｂ≠θ２Ｂであることが好ましい。
【発明の効果】
【０００９】
本願の第１及び第２の発明によれば、優れた施工性で地面の敷き詰めを行うことができる。
【図面の簡単な説明】
【００１０】
【図１Ａ】実施形態１に係る舗装用ブロックの斜視図である。
【図１Ｂ】実施形態１に係る舗装用ブロックの平面図である。
【図２Ａ】実施形態１に係る舗装用ブロックの施工方法を示す第１の平面図である。
【図２Ｂ】実施形態１に係る舗装用ブロックの施工方法を示す第２の平面図である。
【図２Ｃ】実施形態１に係る舗装用ブロックの施工方法を示す第３の平面図である。
【図２Ｄ】実施形態１に係る舗装用ブロックの施工方法を示す第４の平面図である。
【図３Ａ】実施形態１に係る舗装用ブロックの第１の変形例の平面図である。
【図３Ｂ】実施形態１に係る舗装用ブロックの第２の変形例の平面図である。
【図４Ａ】実施形態１に係る舗装用ブロックの第３の変形例の平面図である。
【図４Ｂ】実施形態１に係る舗装用ブロックの第４の変形例の平面図である。
【図５Ａ】実施形態１に係る舗装用ブロックの第５の変形例の平面図である。
【図５Ｂ】第５の変形例における辺の長さ及び内角の大きさの定義を示す図である。
【図６】実施形態２に係る舗装用ブロックセットの平面図である。
【図７】実施形態２に係る舗装用ブロックセットの施工方法を示す平面図である。
【発明を実施するための形態】
【００１１】
以下、実施形態について詳細に説明する。
【００１２】
（実施形態１）
図１Ａ及びＢは、実施形態１に係る舗装用ブロック１０を示す。
【００１３】
実施形態１に係る舗装用ブロック１０は、セメントに骨材が混合されたセメント材料等により、平面視が五角形状に形成されている。そして、時計回りに順に配設された五辺を第１〜第５辺１１〜１５とするとともに、それらの第１〜第５辺１１〜１５の長さをそれぞれＬ１〜Ｌ５とし、且つ第１〜第５辺１１〜１５に対向する内角をそれぞれθ１〜θ５としたとき、Ｌ１＝Ｌ２＝Ｌ３＝Ｌ４であり且つθ１＝θ４＝９０°である。また、必然的にθ２＝θ３及びθ２＋θ３＋θ５＝３６０°である。第１〜第５辺１１〜１５の長さＬ１〜Ｌ５は、用途によるが、例えば１０〜５０ｃｍである。
【００１４】
以上の構成の実施形態１に係る舗装用ブロック１０によれば、対称形状であって、４個の舗装用ブロック１０を用いれば、第１施工ステップとして、図２Ａに示すように、第１及び第２の舗装用ブロック１０−１，１０−２を、それらの第５辺１５同士を対向させて設けた後、第２施工ステップとして、図２Ｂに示すように、第３の舗装用ブロック１０−３を、その第２辺１２及び第３辺１３をそれぞれ第１の舗装用ブロック１０−１の第１辺１１及び第２の舗装用ブロック１０−２の第４辺１４に対向させて設け、また、第３施工ステップとして、図２Ｃに示すように、第４の舗装用ブロック１０−４を、その第３辺１３及び第２辺１２をそれぞれ第１の舗装用ブロック１０−１の第４辺１４及び第２の舗装用ブロック１０−２の第１辺１１に対向させて設けることにより、六角形ユニットＵを構成することができ、第４施工ステップとして、図２Ｄに示すように、この六角形ユニットＵを核として、同様の六角形ユニットＵを連続して配置することで、優れた施工性で地面の敷き詰めを行うことができる。
【００１５】
なお、第１〜第４の舗装用ブロック１０−１〜１０−４は、表面色や表面意匠が同一であっても、また、相互に異なっていても、どちらでもよい。隣接ブロック同士は、突き合わされて設けられていても、また、目地を介して設けられていても、どちらでもよい。
【００１６】
第５辺１５の長さＬ５は、図３Ａに示すように、第１〜第４辺１１〜１４の長さＬ１〜Ｌ４と同一（Ｌ５＝Ｌ１〜Ｌ４）であってもよい。但し、第１施工ステップにおいて、第１及び第２の舗装用ブロック１０−１，１０−２を、第５辺１５同士を対向させて配置するとき、第５辺１５を、第１〜第４辺１１〜１４と識別する観点からは、第５辺１５の長さＬ５は、第１〜第４辺１１〜１４の長さＬ１〜Ｌ４と異なる（Ｌ５≠Ｌ１〜Ｌ４）ことが好ましい。したがって、第５辺１５の長さＬ５は、図１Ｂに示すように、第１〜第４辺１１〜１４の長さＬ１〜Ｌ４よりも長い（Ｌ５＞Ｌ１〜Ｌ４）、又は、図３Ｂに示すように、第１〜第４辺１１〜１４の長さＬ１〜Ｌ４よりも短い（Ｌ５＜Ｌ１〜Ｌ４）ことが好ましい。
【００１７】
加えて、第１施工ステップにおいて、第１及び第２の舗装用ブロック１０−１，１０−２を配置するときの位置ずれを小さく抑える観点からは、対向させる第５辺１５の長さＬ５が長いことが好ましく、したがって、第５辺１５の長さＬ５は、第１〜第４辺１１〜１４の長さＬ１〜Ｌ４よりも長い（Ｌ５＞Ｌ１〜Ｌ４）ことがより好ましい。
【００１８】
内角θ５は、９０°＜θ５＜１８０°である。内角θ５は、図４Ａに示すように、内角θ２及び内角θ３と同一（θ５＝θ２，θ３＝１２０°）であってもよい。但し、第２施工ステップにおいて、第１の舗装用ブロック１０−１の第１辺１１と第２の舗装用ブロック１０−２の第４辺１４とが形成するＶ角に、第３の舗装用ブロック１０−３の内角θ５を嵌めるとき、及び第３施工ステップにおいて、第１の舗装用ブロック１０−１の第４辺１４と第２の舗装用ブロック１０−２の第１辺１１とが形成するＶ角に、第４の舗装用ブロック１０−４の内角θ５を嵌めるとき、内角θ５を、内角θ２及び内角θ３と識別する観点からは、内角θ５は、内角θ２及び内角θ３と異なる（θ５≠θ２，θ３）ことが好ましい。したがって、内角θ５は、図１Ｂに示すように、内角θ２及び内角θ３よりも大きい（θ５＞θ２，θ３、例えばθ５＝１４４°及びθ２，θ３＝１０８°）、又は、図４Ｂに示すように、内角θ２及び内角θ３よりも小さい（θ５＜θ２，θ３）ことが好ましい。
【００１９】
加えて、第１施工ステップにおいて、第１及び第２の舗装用ブロック１０−１，１０−２を配置するときの位置ずれを小さく抑える観点からは、対向させる第５辺１５の長さＬ５が長いことが好ましく、第５辺１５の長さＬ５と内角θ５の大きさは比例することから、したがって、内角θ５は、内角θ２及び内角θ３よりも大きい（θ５＞θ２，θ３）ことがより好ましい。
【００２０】
なお、図５Ａに示すように、舗装用ブロック１０は、角部が丸味等を帯びるように形成されていてもよく、この場合、図５Ｂに示すように、相互に隣接する辺を延長したときの交点を基準とし、その交点間の長さを辺の長さとし、また、そのとき形成される角を内角とする。
【００２１】
（実施形態２）
図６は、実施形態２に係る舗装用ブロックセットＳを示す。
【００２２】
実施形態２に係る舗装用ブロックセットＳは、各々、平面視が五角形状のＡブロック１０Ａ及びＢブロック１０Ｂで構成されている。Ａブロック１０Ａ及びＢブロック１０Ｂは、セメントに骨材が混合されたセメント材料等により形成されている。そして、Ａブロック１０Ａについて、時計回りに順に配設された五辺を第１〜第５辺１１Ａ〜１５Ａとするとともに、それらの第１〜第５辺１１Ａ〜１５Ａの長さをそれぞれＬ１Ａ〜Ｌ５Ａとし、且つ第１〜第５辺１１Ａ〜１５Ａに対向する内角をそれぞれθ１Ａ〜θ５Ａとし、Ｂブロック１０Ｂについて、時計回りに順に配設された五辺を第１〜第５辺１１Ｂ〜１５Ｂとするとともに、それらの第１〜第５辺１１Ｂ〜１５Ｂの長さをそれぞれＬ１Ｂ〜Ｌ５Ｂとし、且つ第１〜第５辺１１Ｂ〜１５Ｂに対向する内角をそれぞれθ１Ｂ〜θ５Ｂとしたとき、Ｌ１Ａ＝Ｌ４Ａ＝Ｌ２Ｂ＝Ｌ３Ｂ、Ｌ２Ａ＝Ｌ３Ａ、及びＬ１Ｂ＝Ｌ４Ｂであり、且つθ１Ａ＝θ４Ａ、θ１Ｂ＝θ４Ｂ、θ１Ａ＋θ１Ｂ＝１８０°、及びθ２Ａ+θ３Ａ＋θ５Ｂ＝３６０°である。また、必然的にθ２Ａ＝θ３Ａ及びθ２Ｂ＝θ３Ｂである。
【００２３】
以上の構成の実施形態２に係る舗装用ブロックセットＳによれば、Ａブロック１０Ａ及びＢブロック１０Ｂがそれぞれ対称形状であって、舗装用ブロックセットＳを２セット用いれば、第１施工ステップとして、第１及び第２のＡブロック１０Ａ−１，１０Ａ−２を、それらの第５辺１５Ａ同士を対向させて設けた後、第２施工ステップとして、第３のＢブロック１０Ｂ−３を、その第２辺１２Ｂ及び第３辺１３Ｂをそれぞれ第１のＡブロック１０Ａ−１の第１辺１１Ａ及び第２のＡブロック１０Ａ−２の第４辺１４Ａに対向させて設け、また、第３施工ステップとして、第４のＢブロック１０Ｂ−４を、その第３辺１３Ｂ及び第２辺１２Ｂをそれぞれ第１のＡブロック１０Ａ−１の第４辺１４Ａ及び第２のＡブロック１０Ａ−２の第１辺１１Ａに対向させて設けることにより、図７に示すように、六角形ユニットＵを構成することができ、第４施工ステップとして、実施形態１の場合と同様に、この六角形ユニットＵを核として、同様の六角形ユニットＵを連続して配置することで、優れた施工性で地面の敷き詰めを行うことができる。
【００２４】
なお、第１〜第４のＡブロック１０Ａ−１，１０Ａ−２及びＢブロック１０Ｂ−３，１０Ｂ−４は、表面色や表面意匠が同一であっても、また、相互に異なっていても、どちらでもよい。隣接ブロック同士は、突き合わされて設けられていても、また、目地を介して設けられていても、どちらでもよい。
【００２５】
Ａブロック１０Ａの第５辺１５Ａの長さＬ５Ａは、第１及び第４辺１１Ａ，１４Ａの長さＬ１Ａ，Ｌ４Ａと同一（Ｌ５Ａ＝Ｌ１Ａ＝Ｌ４Ａ）、又は、第２及び第３辺１２Ａ，１３Ａの長さＬ２Ａ，Ｌ３Ａと同一（Ｌ５Ａ＝Ｌ２Ａ＝Ｌ３Ａ）であってもよい。但し、第１施工ステップにおいて、第１及び第２のＡブロック１０Ａ−１，１０Ａ−２を、第５辺１５Ａ同士を対向させて配置するとき、第５辺１５Ａを、第１〜第４辺１１Ａ〜１４Ａと識別する観点からは、Ａブロック１０Ａの第５辺１５Ａの長さＬ５Ａは、第１〜第４辺１１Ａ〜１４Ａの長さＬ１Ａ〜Ｌ４Ａと異なる（Ｌ５Ａ≠Ｌ１Ａ，Ｌ４Ａ且つＬ５Ａ≠Ｌ２Ａ，Ｌ３Ａ）ことが好ましい。この場合、第５辺１５Ａの長さＬ５Ａは、第１及び第４辺１１Ａ，１４Ａの長さＬ１Ａ，Ｌ４Ａよりも長くてもよく（Ｌ５Ａ＞Ｌ１Ａ，Ｌ４Ａ）、また、第１及び第４辺１１Ａ，１４Ａの長さＬ１Ａ，Ｌ４Ａよりも短くてもよい（Ｌ５Ａ＜Ｌ１Ａ，Ｌ４Ａ）。第５辺１５Ａの長さＬ５Ａは、第２及び第３辺１２Ａ，１３Ａの長さＬ２Ａ，Ｌ３Ａよりも長くてもよく（Ｌ５Ａ＞Ｌ２Ａ，Ｌ３Ａ）、また、第２及び第３辺１２Ａ，１３Ａの長さＬ２Ａ，Ｌ３Ａよりも短くてもよい（Ｌ５Ａ＜Ｌ２Ａ，Ｌ３Ａ）。
【００２６】
加えて、第１施工ステップにおいて、第１及び第２のＡブロック１０Ａ−１，１０Ａ−２を配置するときの位置ずれを小さく抑える観点からは、対向させる第５辺１５Ａの長さＬ５Ａが最も長いことが好ましく、したがって、Ａブロック１０Ａの第５辺１５Ａの長さＬ５Ａは、第１〜第４辺１１Ａ〜１４Ａの長さＬ１Ａ〜Ｌ４Ａよりも長い（Ｌ５Ａ＞Ｌ１Ａ，Ｌ４Ａ且つＬ５Ａ＞Ｌ２Ａ，Ｌ３Ａ）ことがより好ましい。また、同様の観点からは、第５辺１５Ａの長さＬ５Ａと内角θ５Ａの大きさは比例するので、したがって、Ａブロック１０Ａの内角θ５Ａは、内角θ１Ａ〜θ４Ａよりも大きい（θ５Ａ＞θ１Ａ，θ４Ａ且つθ５Ａ＞θ２Ａ，θ３Ａ）ことが好ましい。
【００２７】
Ｂブロック１０Ｂの内角θ５Ｂは、内角θ１Ｂ及び内角θ４Ｂと同一（θ５Ｂ＝θ１Ｂ，θ４Ｂ）、又は、内角θ２Ｂ及び内角θ３Ｂと同一（θ５Ｂ＝θ２Ｂ，θ３Ｂ）であってもよい。但し、第２施工ステップにおいて、第１のＡブロック１０Ａ−１の第１辺１１Ａと第２のＡブロック１０Ａ−２の第４辺１４Ａとが形成するＶ角に、第３のＢブロック１０Ｂ−３の内角θ５Ｂを嵌めるとき、及び第３施工ステップにおいて、第１のＡブロック１０Ａ−１の第４辺１４Ａと第２のＡブロック１０Ａ−２の第１辺１１Ａとが形成するＶ角に、第４のＢブロック１０Ｂ−４の内角θ５Ｂを嵌めるとき、内角θ５Ｂを、内角θ１Ｂ〜θ４Ｂと識別する観点からは、Ｂブロック１０Ｂの内角θ５Ｂは、内角θ１Ｂ〜θ４Ｂと異なる（θ５Ｂ≠θ１Ｂ，θ４Ｂ且つθ５Ｂ≠θ２Ｂ，θ３Ｂ）ことが好ましい。この場合、内角θ５Ｂは、内角θ１Ｂ，θ４Ｂよりも大きくてもよく（θ５Ｂ＞θ１Ｂ，θ４Ｂ）、また、内角θ１Ｂ，θ４Ｂよりも小さくてもよい（θ５Ｂ＜θ１Ｂ，θ４Ｂ）。内角θ５Ｂは、内角θ２Ｂ，θ３Ｂよりも大きくてもよく（θ５Ｂ＞θ２Ｂ，θ３Ｂ）、また、内角θ２Ｂ，θ３Ｂよりも小さくてもよい（θ５Ｂ＜θ２Ｂ，θ３Ｂ）。
【００２８】
なお、Ａブロック１０Ａの第１及び第４辺１１Ａ，１４Ａの長さＬ１Ａ，Ｌ４Ａは、第２及び第３辺１２Ａ，１３Ａの長さＬ２Ａ，Ｌ３Ａと同一であってもよく（Ｌ１Ａ，Ｌ４Ａ＝Ｌ２Ａ，Ｌ３Ａ）、また、第２及び第３辺１２Ａ，１３Ａの長さＬ２Ａ，Ｌ３Ａよりも長くてもよく（Ｌ１Ａ，Ｌ４Ａ＞Ｌ２Ａ，Ｌ３Ａ）、さらに、第２及び第３辺１２Ａ，１３Ａの長さＬ２Ａ，Ｌ３Ａよりも短くてもよい（Ｌ１Ａ，Ｌ４Ａ＜Ｌ２Ａ，Ｌ３Ａ）。Ａブロック１０Ａの内角θ１Ａ，θ４Ａは、内角θ２Ａ，θ３Ａと同一であってもよく（θ１Ａ，θ４Ａ＝θ２Ａ，θ３Ａ）、また、内角θ２Ａ，θ３Ａよりも大きくてもよく（θ１Ａ，θ４Ａ＞θ２Ａ，θ３Ａ）、さらに、内角θ２Ａ，θ３Ａよりも小さくてもよい（θ１Ａ，θ４Ａ＜θ２Ａ，θ３Ａ）。
【００２９】
また、Ｂブロック１０Ｂの第１及び第４辺１１Ｂ，１４Ｂの長さＬ１Ｂ，Ｌ４Ｂは、第２及び第３辺１２Ｂ，１３Ｂの長さＬ２Ｂ，Ｌ３Ｂと同一であってもよく（Ｌ１Ｂ，Ｌ４Ｂ＝Ｌ２Ｂ，Ｌ３Ｂ）、また、第２及び第３辺１２Ｂ，１３Ｂの長さＬ２Ｂ，Ｌ３Ｂよりも長くてもよく（Ｌ１Ｂ，Ｌ４Ｂ＞Ｌ２Ｂ，Ｌ３Ｂ）、さらに、第２及び第３辺１２Ｂ，１３Ｂの長さＬ２Ｂ，Ｌ３Ｂよりも短くてもよい（Ｌ１Ｂ，Ｌ４Ｂ＜Ｌ２Ｂ，Ｌ３Ｂ）。Ｂブロック１０Ｂの内角θ１Ｂ，θ４Ｂは、内角θ２Ｂ，θ３Ｂと同一であってもよく（θ１Ｂ，θ４Ｂ＝θ２Ｂ，θ３Ｂ）、また、内角θ２Ｂ，θ３Ｂよりも大きくてもよく（θ１Ｂ，θ４Ｂ＞θ２Ｂ，θ３Ｂ）、さらに、内角θ２Ｂ，θ３Ｂよりも小さくてもよい（θ１Ｂ，θ４Ｂ＜θ２Ｂ，θ３Ｂ）。
【００３０】
その他のＡブロック１０Ａ及びＢブロック１０Ｂの構成は、実施形態１に係る舗装用ブロック１０の構成と同一である。
【産業上の利用可能性】
【００３１】
本発明は、舗装用ブロック及び舗装用ブロックセットに関する。
【符号の説明】
【００３２】
Ｓ  舗装用ブロックセット
Ｕ  ユニット
１０  舗装用ブロック
１０Ａ  Ａブロック
１０Ｂ  Ｂブロック
１１〜１５，１１Ａ〜１５Ａ，１１Ｂ〜１５Ｂ  第１辺〜第５辺
【図１Ａ】
2019210691.tif 000003
【図１Ｂ】
2019210691.tif 000004
【図２Ａ】
2019210691.tif 000005
【図２Ｂ】
2019210691.tif 000006
【図２Ｃ】
2019210691.tif 000007
【図２Ｄ】
2019210691.tif 000008
【図３Ａ】
2019210691.tif 000009
【図３Ｂ】
2019210691.tif 000010
【図４Ａ】
2019210691.tif 000011
【図４Ｂ】
2019210691.tif 000012
【図５Ａ】
2019210691.tif 000013
【図５Ｂ】
2019210691.tif 000014
【図６】
2019210691.tif 000015
【図７】
2019210691.tif 000016